(57)【要約】【課題】  回路規模を簡略化でき，かつ安定した通信を確保することの可能な送信装置，受信装置，および通信システムを提供する。【解決手段】  送信装置１００は，送信信号を生成するデジタル回路１１０と，送信信号を変調して第１の周波数帯Ｆ１の信号とする第１の変調部１５０と，送信信号を変調して第１の周波数帯と異なる第２の周波数帯Ｆ２の信号とする第２の変調部１８０と，第１の周波数帯の信号を送信する第１のアンテナ１２０と，第２の周波数帯の信号を送信する第２のアンテナ１３０とを備える。受信装置４００は，第１の周波数帯の信号を受信する第１のアンテナ４１０と，第２の周波数帯の信号を受信する第２のアンテナ４２０と，第１，第２のアンテナからの信号を合成して復調する復調部４５０とを備える。第１の周波数帯の信号と第２の周波数帯の信号とでは，使用する帯域幅が異なる。【選択図】  図１
2006060572.tif 000002
【特許請求の範囲】
【請求項１】
送信信号を生成する送信信号生成部と，
前記送信信号を変調して第１の周波数帯の信号とする第１の変調部と，
前記送信信号を変調して前記第１の周波数帯と異なる第２の周波数帯の信号とする第２の変調部と，
前記第１の周波数帯の信号を送信する第１のアンテナと，
前記第２の周波数帯の信号を送信する第２のアンテナと，
を備え，
前記第１の周波数帯の信号と前記第２の周波数帯の信号とでは，使用する帯域幅が異なることを特徴とする，送信装置。
【請求項２】
前記第１の周波数帯の信号は，前記第２の周波数帯の信号に対して整数倍の帯域幅で拡散した信号であることを特徴とする，請求項１に記載の送信装置。
【請求項３】
前記第２の周波数帯の信号は，前記第１の周波数帯の信号の劣化した帯域を補完する信号であり，前記第２の周波数帯の信号のみでは前記送信信号を復調できないことを特徴とする，請求項１に記載の送信装置。
【請求項４】
前記第１の周波数帯は２７ＧＨｚであり，前記第２の周波数帯は５．２ＧＨｚであることを特徴とする，請求項１に記載の送信装置。
【請求項５】
前記第２の周波数帯の信号の帯域幅は，２０ＭＨｚであることを特徴とする，請求項１に記載の送信装置。
【請求項６】
第１の周波数帯の信号を受信する第１のアンテナと，
前記第１の周波数帯と異なる第２の周波数帯の信号を受信する第２のアンテナと，
前記第１の周波数帯の信号を復調する第１の復調部と，
前記第２の周波数帯の信号を復調する第２の復調部と，
前記第１の復調部で復調された第１の周波数帯の信号と前記第２の復調部で復調された第２の周波数帯の信号とを合成して受信信号を復調する第３の復調部と，
を備え，
前記第１の周波数帯の信号と前記第２の周波数帯の信号とでは，使用する帯域幅が異なることを特徴とする，受信装置。
【請求項７】
前記第１の周波数帯の信号は，前記第２の周波数帯の信号に対して整数倍の帯域幅で拡散した信号であることを特徴とする，請求項６に記載の受信装置。
【請求項８】
前記第２の周波数帯の信号は，前記第１の周波数帯の信号の劣化した帯域を補完する信号であり，前記第２の周波数帯の信号のみでは前記送信信号を復調できないことを特徴とする，請求項６に記載の受信装置。
【請求項９】
前記第１の周波数帯は２７ＧＨｚであり，前記第２の周波数帯は５．２ＧＨｚであることを特徴とする，請求項６に記載の受信装置。
【請求項１０】
前記第２の周波数帯の信号の帯域幅は，２０ＭＨｚであることを特徴とする，請求項６に記載の受信装置。
【請求項１１】
前記第１の周波数帯の信号または前記第２の周波数帯の信号の少なくとも一方の位相を補正する位相補正部をさらに備えたことを特徴とする，請求項６に記載の受信装置。
【請求項１２】
前記第１の周波数帯の信号と前記第２の周波数帯の信号との相対的な利得を調整する利得調整部をさらに備えたことを特徴とする，請求項６に記載の受信装置。
【請求項１３】
送信装置と受信装置とを含む通信システムであって，
前記送信装置は，
送信信号を生成する送信信号生成部と，
前記送信信号を変調して第１の周波数帯の信号とする第１の変調部と，
前記送信信号を変調して前記第１の周波数帯と異なる第２の周波数帯の信号とする第２の変調部と，
前記第１の周波数帯の信号を送信する第１のアンテナと，
前記第２の周波数帯の信号を送信する第２のアンテナと，
を備え，
前記受信装置は，
前記第１の周波数帯の信号を受信する第１のアンテナと，
前記第２の周波数帯の信号を受信する第２のアンテナと，
前記第１，第２のアンテナからの信号を合成して復調する復調部と，
を備えたことを特徴とする，通信システム。
【請求項１４】
前記受信装置は，前記第１の周波数帯の信号の劣化した帯域に関する情報を前記送信装置に送信し，
前記送信装置は，前記第２の周波数帯の信号として，前記第１の周波数帯の信号の劣化した帯域を補完する信号であり，前記送信信号を復調できない信号を送信することを特徴とする，請求項１３に記載の通信システム。
【請求項１５】
前記送信装置は，前記第１の変調部または前記第２の変調部が変調した信号の帯域を調整する送信側調整部を備え，
前記受信装置は，前記第１のアンテナまたは前記第２のアンテナが受信した信号を，前記送信側調整部による帯域の調整分だけ調整する受信側調整部を備えたことを特徴とする，請求項１３に記載の通信システム。
【発明の詳細な説明】
【技術分野】
【０００１】
本発明は，送信装置，受信装置，および通信システムにかかり，特に，複数の周波数帯を用いて送信を行う送信装置，および，複数の周波数帯を受信し，それらを合成して受信する受信装置，ならびにこれら送信装置と受信装置とを含む通信システムに関する。
【背景技術】
【０００２】
周波数ダイバーシチを用いる受信装置においては，従来，２つの周波数帯Ｆ１，Ｆ２を復調して出力を切り替えたり，合成したりしていた。切り替え型の周波数ダイバーシチ受信装置においては，受信周波数帯を切り替えることで受信を行っていた。また，合成型の周波数ダイバーシチ受信装置においては，受信周波数を合成することで受信を行っていた。
【０００３】
２つの周波数帯Ｆ１，Ｆ２を切り替える切り替え型の周波数ダイバーシチ受信装置においては，以下の問題があった。周波数帯Ｆ１で通信していたときに，送信側が周波数帯Ｆ２に切り替えてから受信側が周波数帯Ｆ２に切り替えるまでに，時間差が起きる場合，受信側が受信すべき周波数を予測できないという問題があった。このような問題は，ＣＳＭＡ（Carrier Sense Multiple Access）方式の無線ＬＡＮシステムなどで生じる問題である。
【０００４】
一方，２つの周波数帯Ｆ１，Ｆ２を合成する周波数ダイバーシチ受信装置においては，２つの受信信号を最大比合成または等利得合成することが一般的である。最大比合成は検波した受信信号の振幅と位相を調整してから加算するため性能が良い。等利得合成は受信信号をそのまま足すか，１度検波した信号を合成する。
【０００５】
このような従来の送信回路および受信回路の一例として，特開２０００−４９６３７号公報に開示されたものがある。同文献に開示された従来の送信回路および受信回路について，図１２〜図１４を参照しながら説明する。
【０００６】
＜従来の送信回路の構成（１）＞
図１２は，従来の送信回路の構成（１）を示す説明図である。
送信回路１０００は，図１２に示したように，デジタル回路１０１０と，ＤＡコンバータ１０２０と，変調部１０３０と，ＲＦスイッチ１０３５と，アンテナ１０４０と，アンテナ１０５０と，アンテナ１０４０側に配された変調部１０６０を含んで構成されている。
【０００７】
デジタル回路１０１０は，送信データをデジタルデータとして生成する回路である。
【０００８】
ＤＡコンバータ１０２０は，デジタル回路１０１０で生成された送信データ（デジタル信号）を，アナログ信号に変換する。
【０００９】
変調部１０３０は，乗算器１０３１と，ローカル発振器１０３２と，増幅器１０３３と，アナログフィルタ１０３４を含んで構成されている。乗算器１０３１は，デジタル回路１０１０で生成されＤＡコンバータ１０２０で変換されたアナログ信号とローカル発振器１０３２からのローカル信号とを乗算する。増幅器１０３３は，乗算器１０３１で乗算された信号を増幅する。アナログフィルタ１０３４は，増幅器１０３３で増幅された信号から所定周波数帯域を抜き出すバンドパスフィルタである。
【００１０】
ＲＦスイッチ１０３５は，変調部１０３０により変調された信号を，２つのアンテナ１０４０，１０５０のいずれかから送信するように切り替える。
【００１１】
アンテナ１０４０は，周波数帯Ｆ１に対応するアンテナである。また，アンテナ１０５０は，周波数帯Ｆ２に対応するアンテナである。
【００１２】
アンテナ１０４０側，すなわち，変調部１０３０とアンテナ１０４０との間には，変調部１０６０が設けられている。
【００１３】
変調部１０６０は，乗算器１０６１と，ローカル発振器１０６２と，増幅器１０６３と，アナログフィルタ１０６４を含んで構成されている。乗算器１０６１は，変調部１０３０で変調されたアナログ信号とローカル発振器１０６２からのローカル信号とを乗算する。増幅器１０６３は，乗算器１０６１で乗算された信号を増幅する。アナログフィルタ１０６４は，増幅器１０６３で増幅された信号から所定周波数帯域を抜き出すバンドパスフィルタである。このようにして，変調部１０６０のアナログフィルタ１０６４により生成されたアナログ信号は，アンテナ１０４０により伝送される。
【００１４】
＜従来の送信回路の構成（２）＞
図１３は，従来の送信回路の構成（２）を示す説明図である。
送信回路１１００は，図１３に示したように，デジタル回路１１１０と，ＤＡコンバータ１１２０と，変調部１１３０と，ＲＦスイッチ１１３５と，アンテナ１１４０と，アンテナ１１５０と，アンテナ１１４０側に配された変調部１１６０と，アンテナ１１５０側に配された変調部１１８０を含んで構成されている。
【００１５】
デジタル回路１１１０は，送信データをデジタルデータとして生成する回路である。
【００１６】
ＤＡコンバータ１１２０は，デジタル回路１１１０で生成された送信データ（デジタル信号）を，アナログ信号に変換する。
【００１７】
変調部１１３０は，乗算器１１３１と，ローカル発振器１１３２と，増幅器１１３３と，アナログフィルタ１１３４を含んで構成されている。乗算器１１３１は，デジタル回路１１１０で生成されＤＡコンバータ１１２０で変換されたアナログ信号とローカル発振器１１３２からのローカル信号とを乗算する。増幅器１１３３は，乗算器１１３１で乗算された信号を増幅する。アナログフィルタ１１３４は，増幅器１１３３で増幅された信号から所定周波数帯域を抜き出すバンドパスフィルタである。
【００１８】
ＲＦスイッチ１１３５は，変調部１１３０により変調された信号を，２つのアンテナ１１４０，１１５０のいずれかから送信するように切り替える。
【００１９】
アンテナ１１４０は，周波数帯Ｆ１に対応するアンテナである。また，アンテナ１１５０は，周波数帯Ｆ２に対応するアンテナである。
【００２０】
アンテナ１１４０側，すなわち，変調部１１３０とアンテナ１１４０との間には，変調部１１６０が設けられている。
【００２１】
変調部１１６０は，乗算器１１６１と，ローカル発振器１１６２と，増幅器１１６３と，アナログフィルタ１１６４を含んで構成されている。乗算器１１６１は，変調部１１３０で変調されたアナログ信号とローカル発振器１１６２からのローカル信号とを乗算する。増幅器１１６３は，乗算器１１６１で乗算された信号を増幅する。アナログフィルタ１１６４は，増幅器１１６３で増幅された信号から所定周波数帯域を抜き出すバンドパスフィルタである。このようにして，変調部１１６０のアナログフィルタ１１６４により生成されたアナログ信号は，アンテナ１１４０により伝送される。
【００２２】
一方，アンテナ１１５０側，すなわち，変調部１１３０とアンテナ１１５０との間には，アナログフィルタ１１７０と変調部１１８０が設けられている。
【００２３】
アナログフィルタ１１７０は，ベースバンド用のバンドパスフィルタであり，デジタル回路１１１０で生成されＤＡコンバータ１１２０で変換され変調部１１３０で変調された送信データ（アナログ信号）から所定周波数帯域を抜き出す。
【００２４】
変調部１１８０は，乗算器１１８１と，ローカル発振器１１８２と，増幅器１１８３と，アナログフィルタ１１８４を含んで構成されている。乗算器１１８１は，アナログフィルタ１１７０からのアナログ信号とローカル発振器１１８２からのローカル信号とを乗算する。増幅器１１８３は，乗算器１１８１で乗算された信号を増幅する。アナログフィルタ１１８４は，増幅器１１８３で増幅された信号から所定周波数帯域を抜き出すバンドパスフィルタである。このようにして，変調部１１８０のアナログフィルタ１１８４により生成されたアナログ信号は，アンテナ１１５０により伝送される。
【００２５】
以上，図１２，図１３を参照しながら，送信回路の構成例について説明した。
次いで，図１４を参照しながら，受信回路の構成例について説明する。
【００２６】
＜従来の受信回路の構成＞
図１４は，従来の受信回路の構成を示す説明図である。
受信回路１２００は，図１４に示したように，アンテナ１２１０と，アンテナ１２２０と，アンテナ１２１０側に配された復調部１２３０と，ＲＦスイッチ１２３５と，復調部１２５０を含んで構成されている。
【００２７】
アンテナ１２１０は，周波数帯Ｆ１に対応するアンテナである。また，アンテナ１２２０は，周波数帯Ｆ２に対応するアンテナである。
【００２８】
アンテナ１２１０側には，復調部１２３０が設けられている。
【００２９】
復調部１２３０は，アナログフィルタ１２３１と，増幅器１２３２と，乗算器１２３３と，ローカル発振器１２３４を含んで構成されている。アナログフィルタ１２３１は，アンテナ１２１０で受信した信号から所定周波数帯域を抜き出すバンドパスフィルタである。増幅器１２３２は，アナログフィルタ１２３１からの信号を増幅する。乗算器１２３３は，増幅器１２３２で増幅された信号とローカル発振器１２３４からのローカル信号とを乗算する。
【００３０】
ＲＦスイッチ１２３５は，アンテナ１２１０で受信され復調部１２３０で復調された信号と，アンテナ１２２０で受信された信号のいずれかの受信するように切り替える。
【００３１】
復調部１２５０は，アナログフィルタ１２５１と，増幅器１２５２と，乗算器１２５３と，ローカル発振器１２５４を含んで構成されている。アナログフィルタ１２５１は，上述の合成された信号から所定周波数帯域を抜き出すバンドパスフィルタである。増幅器１２５２は，アナログフィルタ１２５１からの信号を増幅する。乗算器１２５３は，増幅器１２５２で増幅された信号とローカル発振器１２５４からのローカル信号とを乗算する。このようにして，２つのアンテナ１２１０，１２２０から受信された２つの周波数帯の信号を切り替えて受信することができる。
【００３２】
以上説明したように，特開２０００−４９６３７号公報では，伝送周波数帯域の切り替えに基づいて，ベースバンド信号処理手段で用いられている変調方式を制御している。すなわち，ベースバンド信号処理回路は，周波数帯域を変更したときに，総切り替えしている。
【００３３】
【特許文献１】特開２０００−４９６３７号公報
【発明の開示】
【発明が解決しようとする課題】
【００３４】
ところで，上記従来技術では，複数の周波数帯を用いて送受信する場合は，同一の帯域幅で送受信を行っている。そして，第１周波数と第２周波数を切り替えスイッチで切り替えているだけである。このため，従来技術の問題点として，切り替え手段を用いると受信側は受信すべき周波数帯を予測できないために，周波数帯Ｆ１で送信されているときに受信側が周波数帯Ｆ２で待ち受ける事態が起きるのでスループットの低下という問題点があった。
【００３５】
本発明は，従来の送信装置および受信装置が有する上記問題点に鑑みてなされたものであり，本発明の目的は，回路規模を簡略化でき，かつ安定した通信を確保することの可能な，新規かつ改良された送信装置，受信装置，および通信システムを提供することである。
【課題を解決するための手段】
【００３６】
上記課題を解決するため，本発明によれば，回路規模を簡略化でき，かつ安定した通信を確保することの可能な，新規かつ改良された送信装置，受信装置，および通信システムが提供される。なお，以下の説明において，括弧書きで記した参照符号は，説明の便宜上，後述の実施形態および図面における対応する構成要素等を一例として記したに過ぎず，本発明がこれに限定されるものではない。
【００３７】
本発明の第１の観点によれば，送信信号を生成する送信信号生成部（１１０）と，送信信号を変調して第１の周波数帯（Ｆ１）の信号とする第１の変調部（１５０）と，送信信号を変調して第１の周波数帯と異なる第２の周波数帯（Ｆ２）の信号とする第２の変調部（１８０）と，第１の周波数帯の信号を送信する第１のアンテナ（１２０）と，第２の周波数帯の信号を送信する第２のアンテナ（１３０）と，を備えたことを特徴とする，送信装置が提供される。
【００３８】
また，本発明の第２の観点によれば，第１の周波数帯の信号を受信する第１のアンテナ（４１０）と，第１の周波数帯と異なる第２の周波数帯の信号を受信する第２のアンテナ（４２０）と，第１の周波数帯の信号を復調する第１の復調部（４３０）と，第２の周波数帯の信号を復調する第２の復調部（４４０）と，第１の復調部で復調された第１の周波数帯の信号と第２の復調部で復調された第２の周波数帯の信号とを合成して受信信号を復調する第３の復調部（４５０）と，を備えたことを特徴とする，受信装置が提供される。
【００３９】
また，本発明の第３の観点によれば，上記本発明の第１の観点にかかる送信装置と，上記本発明の第２の観点にかかる受信装置とを含む通信システムが提供される。
【００４０】
本発明の送信装置，受信装置，および通信システムにおいて，第１の周波数帯の信号と第２の周波数帯の信号とでは，使用する帯域幅が異なる（すなわち，大小関係が成立している）ことを特徴とする。
【００４１】
上述のように，従来技術では，複数の周波数帯を用いて送受信する場合は，同一の帯域幅で送受信を行っていた。すなわち，異なる周波数帯で異なる帯域幅で送信を行うことは考えられておらず，またそれを行うことでの効果も考えられていない。この点，本発明では，異なる周波数帯で異なる帯域幅で送信を行い，受信時にはそれらを合成してしまうという概念を採用している。
【００４２】
そして，周波数帯Ｆ１（例えば５ＧＨｚ）の信号と周波数帯Ｆ２（例えば２７ＧＨｚ）の信号を加算するにあたり，ＲＦ回路を共通化することにより，２以上の無線帯域を切り替えて使う通信システムにおいて，受信装置は送信装置がどの周波数帯を用いて送信したかを気にすることなく，回路規模を簡略化でき，かつ安定した通信を確保する。この際，受信待機時に両方の周波数を同時に受信するために，周波数帯Ｆ１を周波数帯Ｆ２にコンバートすることにより，回路規模を簡略化することが可能である。
【００４３】
また，アンテナの放射パターンが全く異なる場合にはダイバーシチ効果を得ることができるので，受信性能も向上するという効果が併せて得られる。特に，周波数帯Ｆ１，Ｆ２が大きく異なるシステムでは効果が大きい。すなわち，周波数ダイバーシチにて合成するにあたり，周波数帯Ｆ１，Ｆ２のアンテナの放射パターンが全く異なる場合，等利得合成であってもＲＦ信号において合成するだけで大きな利得が得られる。
【００４４】
本発明の送信装置，受信装置，および通信システムにおいて，第１の周波数帯の信号は，第２の周波数帯の信号に対して整数倍（Ｎ倍）の帯域幅で拡散した信号としてもよい。拡散率を（（Ｎ＋１）倍に）あげることができるので，ＳＮ比があがり，特性が劣化するような環境でも高いデータレートのための変調方式，符号化方式を使用することができる。
【００４５】
また，第２の周波数帯の信号は，第１の周波数帯の信号の劣化した帯域を補完する信号であり，第２の周波数帯の信号のみでは送信信号を復調できないものとしてもよい。一つの周波数帯がフェージングなどの影響で劣化したときに，別の周波数帯で劣化した周波数帯域を穴埋めすることができる。
【００４６】
第１の周波数帯は例えば２７ＧＨｚであり，第２の周波数帯は例えば５．２ＧＨｚである。
【００４７】
また，第２の周波数帯の信号の帯域幅は，例えば２０ＭＨｚである。従って，上述のように，第１の周波数帯の信号を，第２の周波数帯の信号に対して整数倍の帯域幅で拡散した信号とした場合，第１の周波数帯の信号は，例えば２０ＭＨｚ，４０ＭＨｚ，６０ＭＨｚ，８０ＭＨｚ，１００ＭＨｚ，１２０ＭＨｚなどである。
【００４８】
また，本発明の受信装置において，第１の周波数帯の信号または第２の周波数帯の信号の少なくとも一方の位相を補正する位相補正部（６４５）をさらに備えるようにしてもよい。２つの周波数帯の信号を合成する場合に周波数帯Ｆ１と周波数帯Ｆ２において位相誤差が生じてしまっている場合に，位相補正部により位相を補正してから合成することが可能である。
【００４９】
また，本発明の受信装置において，第１の周波数帯の信号と第２の周波数帯の信号との相対的な利得を調整する利得調整部（７３２，７４５）をさらに備えるようにしてもよい。第１の周波数帯と第２の周波数帯において，合成する前にそれぞれの相対的な利得を，利得調整部により調整することで，合成後の特性を上げることが可能である。
【００５０】
また，本発明の通信システムにおいて，受信装置は，第１の周波数帯の信号の劣化した帯域に関する情報を送信装置に送信し，送信装置は，第２の周波数帯の信号として，第１の周波数帯の信号の劣化した帯域を補完する信号であり，送信信号を復調できない信号を送信するようにしてもよい。受信装置側で第１の周波数帯の信号の劣化状態を把握し，その劣化状態を送信装置側にフィードバックする。そして，その劣化状態を補完するように，第２の周波数帯の信号を送信させることができる。このようにして，第１の周波数帯にて劣化していた帯域を第２の周波数帯で穴埋めを行うことで，劣化を防ぐことが可能である。
【００５１】
また，本発明の通信システムにおいて，送信装置は，第１の変調部または第２の変調部が変調した信号の帯域を調整する送信側調整部（８９０）を備え，受信装置は，第１のアンテナまたは第２のアンテナが受信した信号を，送信側調整部による帯域の調整分だけ調整する受信側調整部（９６０）を備えるようにしてもよい。送信側で所望の帯域幅を抜き出すときに，送信周波数のチャネルにちょうど当てはまらないときがある。このような場合に，送信側調整部で帯域をずらし，受信側で帯域を再度ずらすことが可能である。
【発明の効果】
【００５２】
以上説明したように，本発明によれば，複数の周波数帯で送受信を行う通信システムにおいて，受信装置は送信装置がどの周波数帯を用いて送信したかを気にすることなく，回路規模を簡略化でき，かつ安定した通信を確保することができる。さらに，回路規模が小さい回路によりダイバーシチ利得を得ることにより受信性能が向上できる。
【００５３】
さらに後述するように，本発明を応用することにより，拡散率をあげることができる。これにより，ＳＮ比があがり，特性が劣化するような環境でも高いデータレートのための変調方式，符号化方式を使用することができる。また，一つの周波数帯がフェージングなどの影響で劣化したときに，別の周波数帯で劣化した周波数帯域を穴埋めすることができる。
【発明を実施するための最良の形態】
【００５４】
以下に添付図面を参照しながら，本発明にかかる送信装置，受信装置，および通信システムの好適な実施の形態について詳細に説明する。なお，本明細書および図面において，実質的に同一の機能構成を有する構成要素については，同一の符号を付することにより重複説明を省略する。
【００５５】
（第１の実施の形態）
まず，本実施形態にかかる送信装置，受信装置，および通信システムについて概説する。
本通信システムは，複数の周波数帯を用いて，送受信を行う送受信端末を含む構成である。複数の通信周波数帯は，同一のデジタル回路を使用し，同一の変調方式（ＯＦＤＭ，ＳＳ，ＵＷＢ，ＱＰＳＫ，ＱＡＭなど）を使用する。ただし，複数の周波数帯は，周波数帯域幅が異なっている。
【００５６】
一例として，周波数帯Ｆ１（２７ＧＨｚ）と周波数帯Ｆ２（５．２ＧＨｚ）の２つの周波数帯を用いて説明する。以後の説明の理解が容易になるように，５．２ＧＨｚ帯と２７ＧＨｚ帯の違いについて簡単に説明する。５．２ＧＨｚ帯は，占有周波数帯域幅は２０ＭＨｚ，最大通信容量は５４Ｍｂｐｓである。２次変調としては，ＯＦＤＭ変調を用いている。２７ＧＨｚ帯は，占有周波数帯域幅を２０ＭＨｚ，４０ＭＨｚ，６０ＭＨｚ，８０ＭＨｚ，１００ＭＨｚ，１２０ＭＨｚのように，変更することが可能である。つまり，２０ＭＨｚ帯域幅の周波数帯を２〜６つ束ねることができる。２次変調としては，５．２ＧＨｚと同様にＯＦＤＭ変調を用いる。
【００５７】
かかる構成の利点として，複数の周波数帯を切り替える（または，複数同時に使用する）ことで，一つの周波数帯だけを使用する場合よりも，最大通信容量を大きくすることができる。そして，占有周波数帯域を適応的に変化させることができる。また，複数の通信周波数帯において，同一の変調方式を用いることにより，無線周波数を変換するコンバータさえ追加すれば，最大通信容量の大きい（占有周波数帯域幅の大きい）通信周波数帯に変更することができる。このようにして，上記従来方式の複数の通信周波数帯を使用するシステムに比べて。回路規模の縮小もできる。
【００５８】
以下に，本実施形態にかかる送信装置および受信装置の構成例について説明する。
まず，図１〜図３を参照しながら，送信装置の回路構成例について説明する。
【００５９】
＜送信回路の構成例（１）＞
図１は，本実施の形態にかかる送信回路の構成例（１）を示す説明図である。
送信回路１００は，図１に示したように，デジタル回路１１０（本発明の送信信号生成部）と，アンテナ１２０と，アンテナ１３０と，アンテナ１２０側に配されたＤＡコンバータ１４０および変調部１５０と，アンテナ１３０側に配されたデジタルフィルタ１６０，ＤＡコンバータ１７０，および変調部１８０と，を含んで構成されている。
【００６０】
デジタル回路１１０は，送信データをデジタルデータとして生成する回路である。
【００６１】
アンテナ１２０は，周波数帯Ｆ１に対応するアンテナである。また，アンテナ１３０は，周波数帯Ｆ２に対応するアンテナである。周波数帯は，例えば，周波数帯Ｆ１＝２７ＧＨｚ，周波数帯Ｆ２＝５．２ＧＨｚである。
【００６２】
アンテナ１２０側，すなわち，デジタル回路１１０とアンテナ１２０との間には，ＤＡコンバータ１４０と変調部１５０が設けられている。
【００６３】
ＤＡコンバータ１４０は，デジタル回路１１０で生成された送信データ（デジタル信号）を，アナログ信号に変換する。
【００６４】
変調部１５０は，乗算器１５１と，ローカル発振器１５２と，増幅器１５３と，アナログフィルタ１５４を含んで構成されている。乗算器１５１は，ＤＡコンバータ１４０により変換されたアナログ信号とローカル発振器１５２からのローカル信号とを乗算する。増幅器１５３は，乗算器１５１で乗算された信号を増幅する。アナログフィルタ１５４は，増幅器１５３で増幅された信号から所定周波数帯域を抜き出すバンドパスフィルタである。このようにして，変調部１５０のアナログフィルタ１５４により生成されたアナログ信号は，アンテナ１２０により伝送される。
【００６５】
一方，アンテナ１３０側，すなわち，デジタル回路１１０とアンテナ１３０との間には，デジタルフィルタ１６０と，ＤＡコンバータ１７０と，変調部１８０が設けられている。
【００６６】
デジタルフィルタ１６０は，ベースバンド用のバンドパスフィルタであり，デジタル回路１１０で生成された送信データ（デジタル信号）から所定周波数帯域を抜き出す。
【００６７】
ＤＡコンバータ１７０は，デジタルフィルタ１６０により所定周波数帯域が抜き出された送信データ（デジタル信号）を，アナログ信号に変換する。
【００６８】
変調部１８０は，乗算器１８１と，ローカル発振器１８２と，増幅器１８３と，アナログフィルタ１８４を含んで構成されている。乗算器１８１は，ＤＡコンバータ１７０により生成されたアナログ信号とローカル発振器１８２からのローカル信号とを乗算する。増幅器１８３は，乗算器１８１で乗算された信号を増幅する。アナログフィルタ１８４は，増幅器１８３で増幅された信号から所定周波数帯域を抜き出すバンドパスフィルタである。このようにして，変調部１８０のアナログフィルタ１８４により生成されたアナログ信号は，アンテナ１３０により伝送される。
【００６９】
＜送信回路の構成例（２）＞
図２は，本実施の形態にかかる送信回路の構成例（２）を示す説明図である。
送信回路２００は，図２に示したように，デジタル回路２１０と，ＤＡコンバータ２２０と，アンテナ２３０と，アンテナ２４０と，アンテナ２３０側に配された変調部２５０と，アンテナ２４０側に配されたアナログフィルタ２６０および変調部２７０と，を含んで構成されている。
【００７０】
デジタル回路２１０は，送信データをデジタルデータとして生成する回路である。
【００７１】
ＤＡコンバータ２２０は，デジタル回路１１０で生成された送信データ（デジタル信号）を，アナログ信号に変換する。
【００７２】
アンテナ２３０は，周波数帯Ｆ１に対応するアンテナである。また，アンテナ２４０は，周波数帯Ｆ２に対応するアンテナである。周波数帯は，例えば，周波数帯Ｆ１＝２７ＧＨｚ，周波数帯Ｆ２＝５．２ＧＨｚである。
【００７３】
アンテナ２３０側，すなわち，ＤＡコンバータ２２０とアンテナ２３０との間には，変調部２５０が設けられている。
【００７４】
変調部２５０は，乗算器２５１と，ローカル発振器２５２と，増幅器２５３と，アナログフィルタ２５４を含んで構成されている。乗算器２５１は，ＤＡコンバータ２２０により変換されたアナログ信号とローカル発振器２５２からのローカル信号とを乗算する。増幅器２５３は，乗算器２５１で乗算された信号を増幅する。アナログフィルタ２５４は，増幅器２５３で増幅された信号から所定周波数帯域を抜き出すバンドパスフィルタである。このようにして，変調部２５０のアナログフィルタ２５４により生成されたアナログ信号は，アンテナ２３０により伝送される。
【００７５】
一方，アンテナ２４０側，すなわち，ＤＡコンバータ２２０とアンテナ１３０との間には，アナログフィルタ２６０と変調部２７０が設けられている。
【００７６】
アナログフィルタ２６０は，ベースバンド用のバンドパスフィルタであり，デジタル回路２１０で生成されＤＡコンバータ２２０で変換された送信データ（アナログ信号）から所定周波数帯域を抜き出す。
【００７７】
変調部２７０は，乗算器２７１と，ローカル発振器２７２と，増幅器２７３と，アナログフィルタ２７４を含んで構成されている。乗算器２７１は，アナログフィルタ２６０からのアナログ信号とローカル発振器２７２からのローカル信号とを乗算する。増幅器２７３は，乗算器２７１で乗算された信号を増幅する。アナログフィルタ２７４は，増幅器２７３で増幅された信号から所定周波数帯域を抜き出すバンドパスフィルタである。このようにして，変調部２７０のアナログフィルタ２７４により生成されたアナログ信号は，アンテナ２４０により伝送される。
【００７８】
＜送信回路の構成例（３）＞
図３は，本実施の形態にかかる送信回路の構成例（３）を示す説明図である。
送信回路３００は，図３に示したように，デジタル回路３１０と，ＤＡコンバータ３２０と，変調部３３０と，アンテナ３４０と，アンテナ３５０と，アンテナ３４０側に配された変調部３６０と，アンテナ３５０側に配されたアナログフィルタ３７０および変調部３８０と，を含んで構成されている。
【００７９】
デジタル回路３１０は，送信データをデジタルデータとして生成する回路である。
【００８０】
ＤＡコンバータ３２０は，デジタル回路３１０で生成された送信データ（デジタル信号）を，アナログ信号に変換する。
【００８１】
変調部３３０は，乗算器３３１と，ローカル発振器３３２と，増幅器３３３と，アナログフィルタ３３４を含んで構成されている。乗算器３３１は，デジタル回路３１０で生成されＤＡコンバータ３２０で変換されたアナログ信号とローカル発振器３３２からのローカル信号とを乗算する。増幅器３３３は，乗算器３３１で乗算された信号を増幅する。アナログフィルタ３３４は，増幅器３３３で増幅された信号から所定周波数帯域を抜き出すバンドパスフィルタである。
【００８２】
アンテナ３４０は，周波数帯Ｆ１に対応するアンテナである。また，アンテナ３５０は，周波数帯Ｆ２に対応するアンテナである。周波数帯は，例えば，周波数帯Ｆ１＝２７ＧＨｚ，周波数帯Ｆ２＝５．２ＧＨｚである。
【００８３】
アンテナ３４０側，すなわち，変調部３３０とアンテナ３４０との間には，変調部３６０が設けられている。
【００８４】
変調部３６０は，乗算器３６１と，ローカル発振器３６２と，増幅器３６３と，アナログフィルタ３６４を含んで構成されている。乗算器３６１は，変調部３３０で変調されたアナログ信号とローカル発振器３６２からのローカル信号とを乗算する。増幅器３６３は，乗算器３６１で乗算された信号を増幅する。アナログフィルタ３６４は，増幅器３６３で増幅された信号から所定周波数帯域を抜き出すバンドパスフィルタである。このようにして，変調部３６０のアナログフィルタ３６４により生成されたアナログ信号は，アンテナ３４０により伝送される。
【００８５】
一方，アンテナ３５０側，すなわち，変調部３３０とアンテナ３５０との間には，アナログフィルタ３７０と変調部３８０が設けられている。
【００８６】
アナログフィルタ３７０は，ベースバンド用のバンドパスフィルタであり，デジタル回路３１０で生成されＤＡコンバータ３２０で変換され変調部３３０で変調された送信データ（アナログ信号）から所定周波数帯域を抜き出す。
【００８７】
変調部３８０は，乗算器３８１と，ローカル発振器３８２と，増幅器３８３と，アナログフィルタ３８４を含んで構成されている。乗算器３８１は，アナログフィルタ３７０からのアナログ信号とローカル発振器３８２からのローカル信号とを乗算する。増幅器３８３は，乗算器３８１で乗算された信号を増幅する。アナログフィルタ３８４は，増幅器３８３で増幅された信号から所定周波数帯域を抜き出すバンドパスフィルタである。このようにして，変調部３８０のアナログフィルタ３８４により生成されたアナログ信号は，アンテナ３５０により伝送される。
【００８８】
以上，図１〜図３を参照しながら，送信回路の構成例について説明した。
次いで，図４，図５を参照しながら，送信装置の回路構成例について説明する。
【００８９】
＜受信回路の構成例（１）＞
図４は，本実施の形態にかかる受信回路の構成例（１）を示す説明図である。
受信回路４００は，図４に示したように，アンテナ４１０と，アンテナ４２０と，アンテナ４１０側に配された復調部４３０と，アンテナ４２０側に配された復調部４４０と，復調部４５０を含んで構成されている。
【００９０】
アンテナ４１０は，周波数帯Ｆ１に対応するアンテナである。また，アンテナ４２０は，周波数帯Ｆ２に対応するアンテナである。周波数帯は，例えば，周波数帯Ｆ１＝２７ＧＨｚ，周波数帯Ｆ２＝５．２ＧＨｚである。
【００９１】
アンテナ４１０側には，復調部４３０が設けられている。
【００９２】
復調部４３０は，アナログフィルタ４３１と，増幅器４３２と，乗算器４３３と，ローカル発振器４３４を含んで構成されている。アナログフィルタ４３１は，アンテナ４１０で受信した信号から所定周波数帯域を抜き出すバンドパスフィルタである。増幅器４３２は，アナログフィルタ４３１からの信号を増幅する。乗算器４３３は，増幅器４３２で増幅された信号とローカル発振器４３４からのローカル信号とを乗算する。
【００９３】
一方，アンテナ４２０側には，復調部４４０が設けられている。
【００９４】
復調部４４０は，アナログフィルタ４４１と，増幅器４４２と，乗算器４４３と，ローカル発振器４４４を含んで構成されている。アナログフィルタ４４１は，アンテナ４２０で受信した信号から所定周波数帯域を抜き出すバンドパスフィルタである。増幅器４４２は，アナログフィルタ４４１からの信号を増幅する。乗算器４４３は，増幅器４４２で増幅された信号とローカル発振器４４４からのローカル信号とを乗算する。
【００９５】
アンテナ４１０で受信され復調部４３０で復調された信号と，アンテナ４２０で受信され復調部４４０で復調された信号は，合成された後，さらに復調部４５０で復調される。この点で，２つのアンテナで受信された信号をＲＦスイッチで切り替える従来技術と異なる。
【００９６】
復調部４５０は，アナログフィルタ４５１と，増幅器４５２と，乗算器４５３と，ローカル発振器４５４を含んで構成されている。アナログフィルタ４５１は，上述の合成された信号から所定周波数帯域を抜き出すバンドパスフィルタである。増幅器４５２は，アナログフィルタ４５１からの信号を増幅する。乗算器４５３は，増幅器４５２で増幅された信号とローカル発振器４５４からのローカル信号とを乗算する。このようにして，２つのアンテナ４１０，４２０から受信された２つの周波数帯の信号を合成して受信することができる。
【００９７】
＜受信回路の構成例（２）＞
図５は，本実施の形態にかかる受信回路の構成例（２）を示す説明図である。
受信回路５００は，図５に示したように，アンテナ５１０と，アンテナ５２０と，アンテナ５１０側に配された復調部５３０と，アンテナ５２０側に配されたアナログフィルタ５４０と，復調部５５０を含んで構成されている。
【００９８】
アンテナ５１０は，周波数帯Ｆ１に対応するアンテナである。また，アンテナ５２０は，周波数帯Ｆ２に対応するアンテナである。周波数帯は，例えば，周波数帯Ｆ１＝２７ＧＨｚ，周波数帯Ｆ２＝５．２ＧＨｚである。
【００９９】
アンテナ５１０側には，復調部５３０が設けられている。
【０１００】
復調部５３０は，アナログフィルタ５３１と，増幅器５３２と，乗算器５３３と，ローカル発振器５３４を含んで構成されている。アナログフィルタ５３１は，アンテナ５１０で受信した信号から所定周波数帯域を抜き出すバンドパスフィルタである。増幅器５３２は，アナログフィルタ５３１からの信号を増幅する。乗算器５３３は，増幅器５３２で増幅された信号とローカル発振器５３４からのローカル信号とを乗算する。
【０１０１】
一方，アンテナ５２０側には，アナログフィルタ５４０が設けられている。
【０１０２】
アナログフィルタ５４０は，アンテナ５２０で受信した信号から所定周波数帯域を抜き出すバンドパスフィルタである。
【０１０３】
アンテナ５１０で受信され復調部５３０で復調された信号と，アンテナ５２０で受信されアナログフィルタ５４０で所定周波数帯域を抜き出された信号は，合成された後，さらに復調部５５０で復調される。この点で，２つのアンテナで受信された信号をＲＦスイッチで切り替える従来技術と異なる。
【０１０４】
復調部５５０は，アナログフィルタ５５１と，増幅器５５２と，乗算器５５３と，ローカル発振器５５４を含んで構成されている。アナログフィルタ５５１は，上述の合成された信号から所定周波数帯域を抜き出すバンドパスフィルタである。増幅器５５２は，アナログフィルタ５５１からの信号を増幅する。乗算器５５３は，増幅器５５２で増幅された信号とローカル発振器５５４からのローカル信号とを乗算する。このようにして，２つのアンテナ５１０，５２０から受信された２つの周波数帯の信号を合成して受信することができる。
【０１０５】
本実施形態にかかる送信回路および受信回路は以上のように構成されている。
次いで，本実施形態の動作について説明する。
【０１０６】
＜送信回路および受信回路の動作例（１）＞
送信回路および受信回路の動作例（１）として，図１（または図２，３）の送信回路を使用し，周波数帯Ｆ１＝２７ＧＨｚ，周波数帯Ｆ２＝５．２ＧＨｚとする場合についての動作を説明する。
【０１０７】
周波数帯Ｆ２（５．２ＧＨｚ）にて，２０ＭＨｚ帯域幅の情報を送りたいが，ＳＮ比が悪くて，高い伝送レートでは通信できない環境であるとする。その場合，デジタル回路１１０において，整数倍（ここでは一例として，２倍とする）の周波数帯域幅の４０ＭＨｚ帯域を使用して，２０ＭＨｚ帯域の情報を２倍に拡散して送信する（図６（ａ））。ただし，周波数帯Ｆ２（５．２ＧＨｚ）では，帯域幅ＢＷ２＝２０ＭＨｚでしか送信できないので，帯域幅ＢＷ２＝２０ＭＨｚになるようにフィルタリングする（図６（ｂ））。周波数帯Ｆ１（２７ＧＨｚ）では，帯域幅ＢＷ１＝４０ＭＨｚのまま送信可能であるので，そのまま帯域幅ＢＷ１＝４０ＭＨｚで送信する。
【０１０８】
図４（または図５）の受信回路では，周波数帯Ｆ１（２７ＧＨｚ）の信号をダウンコンバートし，周波数帯Ｆ２（５．２ＧＨｚ）と合成する（図６（ｃ））。これにより，拡散率が３となり，ＳＮ比が３倍に向上され，５．２ＧＨｚ帯のみでは通信不可能な高伝送レートでの通信を行うことが可能となる。
【０１０９】
＜送信回路および受信回路の動作例（２）＞
送信回路および受信回路の動作例（２）として，図１（または図２，３）の送信回路を使用し，周波数帯Ｆ１＝２７ＧＨｚ，周波数帯Ｆ２＝５．２ＧＨｚとする場合についての動作を説明する。
【０１１０】
周波数帯Ｆ１（２７ＧＨｚ）にて，４０ＭＨｚ帯域幅の情報を送りたいが，その帯域の一部がフェージングなどで劣化しているとする（図７（ａ）の符号Ｘ）。この解決方法として，周波数帯Ｆ２（５．２ＧＨｚ）の周波数帯を用いて，周波数帯Ｆ１（２７ＧＨｚ）で送信している情報の一部を送信する（図７（ｂ））。ここで，周波数帯Ｆ２（５．２ＧＨｚ）の周波数帯を用いて送信した信号は，周波数帯Ｆ１（２７ＧＨｚ）で送信している信号の劣化した帯域を補完する信号である。また，周波数帯Ｆ２（５．２ＧＨｚ）の周波数帯を用いて送信した信号のみでは送信信号を復調することはできない。
【０１１１】
図４（または図５）の受信回路では，周波数帯Ｆ１（２７ＧＨｚ）の信号をダウンコンバートし，周波数帯Ｆ２（５．２ＧＨｚ）と合成する（図７（ｃ））。これにより，周波数帯Ｆ１（２７ＧＨｚ）にて劣化していた帯域を周波数帯Ｆ２（５．２ＧＨｚ）で穴埋めを行うことで，劣化を防ぐことが可能である。
【０１１２】
周波数帯Ｆ１（２７ＧＨｚ）にて劣化している帯域を判断する方法は種々考えられるが，例えば，受信装置が送信装置に対して，周波数帯Ｆ１（２７ＧＨｚ）にて劣化している帯域に関する情報をフィードバックし，これに応じて，劣化していた帯域を周波数帯Ｆ２（５．２ＧＨｚ）で穴埋めを行うようにしてもよい。
【０１１３】
（第１の実施形態の効果）
以上説明したように，本実施形態によれば，周波数帯Ｆ１（２７ＧＨｚ）の信号をダウンコンバートし，周波数帯Ｆ２（５．２ＧＨｚ）と合成する。これにより，第１の効果として，拡散率が３となり，ＳＮ比が３倍に向上され，５．２ＧＨｚ帯のみでは通信不可能な高伝送レートでの通信を行うことが可能となる。また，第２の効果として，周波数帯Ｆ１（２７ＧＨｚ）にて劣化していた帯域を周波数帯Ｆ２（５．２ＧＨｚ）で穴埋めを行うことで，劣化を防ぐことが可能である。
【０１１４】
以下の第２〜第５の実施形態では，上記第１の実施形態の応用例について説明する。
【０１１５】
（第２の実施形態）
本実施形態では，図５の受信回路の構成例（２）において，２つの周波数帯の信号を合成する場合に周波数帯Ｆ１と周波数帯Ｆ２において位相誤差が生じてしまっている場合に，位相補正回路を用いて，位相を補正してから合成する場合について説明する。
【０１１６】
＜位相補正回路付き受信回路＞
図８は，本実施の形態にかかる位相補正回路付き受信回路（以下，単に受信回路ともいう。）の構成例を示す説明図である。
受信回路６００は，図８に示したように，アンテナ６１０と，アンテナ６２０と，アンテナ６１０側に配された復調部６３０と，アンテナ６２０側に配されたアナログフィルタ６４０および位相補正回路６４５と，復調部６５０を含んで構成されている。
【０１１７】
アンテナ６１０は，周波数帯Ｆ１に対応するアンテナである。また，アンテナ６２０は，周波数帯Ｆ２に対応するアンテナである。周波数帯は，例えば，周波数帯Ｆ１＝２７ＧＨｚ，周波数帯Ｆ２＝５．２ＧＨｚである。
【０１１８】
アンテナ６１０側には，復調部６３０が設けられている。
【０１１９】
復調部６３０は，アナログフィルタ６３１と，増幅器６３２と，乗算器６３３と，ローカル発振器６３４を含んで構成されている。アナログフィルタ６３１は，アンテナ６１０で受信した信号から所定周波数帯域を抜き出すバンドパスフィルタである。増幅器６３２は，アナログフィルタ６３１からの信号を増幅する。乗算器６３３は，増幅器６３２で増幅された信号とローカル発振器６３４からのローカル信号とを乗算する。
【０１２０】
一方，アンテナ６２０側には，アナログフィルタ６４０および位相補正回路６４５が設けられている。
【０１２１】
アナログフィルタ６４０は，アンテナ６２０で受信した信号から所定周波数帯域を抜き出すバンドパスフィルタである。
【０１２２】
位相補正回路６４５は，アナログフィルタ６４０からの信号の位相を補正する回路である。
【０１２３】
アンテナ６１０で受信され復調部６３０で復調された信号と，アンテナ６２０で受信されアナログフィルタ６４０で所定周波数帯域を抜き出された信号は，合成された後，さらに復調部６５０で復調される。この点で，２つのアンテナで受信された信号をＲＦスイッチで切り替える従来技術と異なる。
【０１２４】
復調部６５０は，アナログフィルタ６５１と，増幅器６５２と，乗算器６５３と，ローカル発振器６５４を含んで構成されている。アナログフィルタ６５１は，上述の合成された信号から所定周波数帯域を抜き出すバンドパスフィルタである。増幅器６５２は，アナログフィルタ６５１からの信号を増幅する。乗算器６５３は，増幅器６５２で増幅された信号とローカル発振器６５４からのローカル信号とを乗算する。このようにして，２つのアンテナ６１０，６２０から受信された２つの周波数帯の信号を合成して受信することができる。
【０１２５】
（第２の実施形態の効果）
以上説明したように，本実施形態によれば，合成する場合に周波数帯Ｆ１と周波数帯Ｆ２において位相誤差が生じてしまっている場合に，位相補正回路６４５を用いて，位相を補正してから合成することが可能である。
【０１２６】
（第３の実施形態）
本実施形態では，周波数帯Ｆ１と周波数帯Ｆ２において，合成する前にそれぞれの相対的な利得を利得調整回路を用いて調整することで，合成後の特性を上げる場合について説明する。
【０１２７】
＜利得調整回路付き受信回路＞
図９は，本実施の形態にかかる利得調整回路付き受信回路（以下，単に受信回路ともいう。）の構成例を示す説明図である。
受信回路７００は，図８に示したように，アンテナ７１０と，アンテナ７２０と，アンテナ７１０側に配された復調部７３０と，アンテナ７２０側に配されたアナログフィルタ７４０および利得調整機能付き増幅器７４５と，復調部７５０を含んで構成されている。
【０１２８】
アンテナ７１０は，周波数帯Ｆ１に対応するアンテナである。また，アンテナ７２０は，周波数帯Ｆ２に対応するアンテナである。周波数帯は，例えば，周波数帯Ｆ１＝２７ＧＨｚ，周波数帯Ｆ２＝５．２ＧＨｚである。
【０１２９】
アンテナ７１０側には，復調部７３０が設けられている。
【０１３０】
復調部７３０は，アナログフィルタ７３１と，利得調整機能付き増幅器７３２と，乗算器７３３と，ローカル発振器７３４を含んで構成されている。アナログフィルタ７３１は，アンテナ７１０で受信した信号から所定周波数帯域を抜き出すバンドパスフィルタである。利得調整機能付き増幅器７３２は，アナログフィルタ７３１からの信号の利得を調整する。乗算器７３３は，利得調整機能付き増幅器７３２で増幅された信号とローカル発振器７３４からのローカル信号とを乗算する。
【０１３１】
一方，アンテナ７２０側には，アナログフィルタ７４０および利得調整機能付き増幅器７４５が設けられている。
【０１３２】
アナログフィルタ７４０は，アンテナ７２０で受信した信号から所定周波数帯域を抜き出すバンドパスフィルタである。
【０１３３】
利得調整機能付き増幅器７４５は，アナログフィルタ７４０からの信号の利得を調整する。上記利得調整付き増幅器７３２および利得調整機能付き増幅器７４５により，信号を合成する前にそれぞれの相対的な利得を調整することで，合成語の特性を上げることができる。
【０１３４】
アンテナ７１０で受信され復調部７３０で復調された信号と，アンテナ７２０で受信されアナログフィルタ７４０で所定周波数帯域を抜き出された信号は，合成された後，さらに復調部７５０で復調される。この点で，２つのアンテナで受信された信号をＲＦスイッチで切り替える従来技術と異なる。
【０１３５】
復調部７５０は，アナログフィルタ７５１と，増幅器７５２と，乗算器７５３と，ローカル発振器７５４を含んで構成されている。アナログフィルタ７５１は，上述の合成された信号から所定周波数帯域を抜き出すバンドパスフィルタである。増幅器７５２は，アナログフィルタ７５１からの信号を増幅する。乗算器７５３は，増幅器７５２で増幅された信号とローカル発振器７５４からのローカル信号とを乗算する。このようにして，２つのアンテナ７１０，７２０から受信された２つの周波数帯の信号を合成して受信することができる。
【０１３６】
（第３の実施形態の効果）
以上説明したように，本実施形態によれば，周波数帯Ｆ１と周波数帯Ｆ２において，合成する前にそれぞれの相対的な利得を，利得調整機能付き増幅器７３２および利得調整機能付き増幅器７４５を用いて調整することで，合成後の特性を上げることが可能である。
【０１３７】
（第４の実施形態）
帯域幅ＢＷ２において抜き出すときに，周波数帯Ｆ２のチャネルにちょうど当てはまらないときがある。このような場合には，帯域幅ＢＷ２で抜き出した後に，抜き出した帯域を送信回路の変調部でずらして，受信側も復調部でずらすのであるが，本実施形態では，ローカル調整回路を備えて，コントロール線のみ追加する場合について説明する。
【０１３８】
＜ローカル調整回路付き送信回路＞
図１０は，本実施の形態にかかるローカル調整回路付き送信回路（以下，単に送信回路ともいう。）の構成例を示す説明図である。
送信回路８００は，図３に示したように，デジタル回路８１０と，ＤＡコンバータ８２０と，変調部８３０と，アンテナ８４０と，アンテナ８５０と，アンテナ８４０側に配された変調部８６０と，アンテナ８５０側に配されたアナログフィルタ８７０および変調部８８０と，ローカル調整回路８９０（本発明の送信側調整部）を含んで構成されている。
【０１３９】
デジタル回路８１０は，送信データをデジタルデータとして生成する回路である。
【０１４０】
ＤＡコンバータ８２０は，デジタル回路８１０で生成された送信データ（デジタル信号）を，アナログ信号に変換する。
【０１４１】
変調部８３０は，乗算器８３１と，ローカル発振器８３２と，増幅器８３３と，アナログフィルタ８３４を含んで構成されている。乗算器８３１は，デジタル回路８１０で生成されＤＡコンバータ８２０で変換されたアナログ信号とローカル発振器８５２からのローカル信号とを乗算する。増幅器８３３は，乗算器８３１で乗算された信号を増幅する。アナログフィルタ８３４は，増幅器８３３で増幅された信号から所定周波数帯域を抜き出すバンドパスフィルタである。
【０１４２】
アンテナ８４０は，周波数帯Ｆ１に対応するアンテナである。また，アンテナ８５０は，周波数帯Ｆ２に対応するアンテナである。周波数帯は，例えば，周波数帯Ｆ１＝２７ＧＨｚ，周波数帯Ｆ２＝５．２ＧＨｚである。
【０１４３】
アンテナ８４０側，すなわち，変調部８３０とアンテナ８４０との間には，変調部８６０が設けられている。
【０１４４】
変調部８６０は，乗算器８６１と，ローカル発振器８６２と，増幅器８６３と，アナログフィルタ８６４を含んで構成されている。乗算器８６１は，変調部８３０で変調されたアナログ信号とローカル発振器８６２からのローカル信号とを乗算する。増幅器８６３は，乗算器８６１で乗算された信号を増幅する。アナログフィルタ８６４は，増幅器８６３で増幅された信号から所定周波数帯域を抜き出すバンドパスフィルタである。このようにして，変調部８６０のアナログフィルタ８６４により生成されたアナログ信号は，アンテナ８４０により伝送される。
【０１４５】
一方，アンテナ８５０側，すなわち，変調部８３０とアンテナ８５０との間には，アナログフィルタ８７０と変調部８８０が設けられている。
【０１４６】
アナログフィルタ８７０は，ベースバンド用のバンドパスフィルタであり，デジタル回路８１０で生成されＤＡコンバータ８２０で変換され変調部８３０で変調された送信データ（アナログ信号）から所定周波数帯域を抜き出す。
【０１４７】
変調部８８０は，乗算器８８１と，ローカル発振器８８２と，増幅器８８３と，アナログフィルタ８８４を含んで構成されている。乗算器８８１は，アナログフィルタ８７０からのアナログ信号とローカル発振器８８２からのローカル信号とを乗算する。増幅器８８３は，乗算器８８１で乗算された信号を増幅する。アナログフィルタ８８４は，増幅器８８３で増幅された信号から所定周波数帯域を抜き出すバンドパスフィルタである。このようにして，変調部８８０のアナログフィルタ８８４により生成されたアナログ信号は，アンテナ８５０により伝送される。
【０１４８】
ローカル調整回路８９０は，変調部８３０のローカル発振器８３２と，変調部８６０のローカル発振器８６２と，変調部８８０のローカル発振器８８２にコントロール線（図中破線で示している）を介して接続されている。ローカル調整回路８９０は，このように各変調部８３０，８６０，８８０に接続されることで，帯域をアップコンバートする。例えば，アナログフィルタ８７０において所望の帯域を抜き出すときに，周波数帯Ｆ２のチャネルにちょうど当てはまらないときがある。この場合に，ローカル調整回路８９０により，アナログフィルタ８７０において抜き出した帯域を調整する。
【０１４９】
以上，ローカル調整回路付き送信回路８００について説明した。この送信回路８００は，図３を参照しながら説明した送信回路３００にローカル調整回路を付加したものである。なお，図１を参照しながら説明した送信回路１００または図２を参照しながら説明した送信回路２００にも同様のローカル調整回路を付加することが可能である。
【０１５０】
次いで，受信側について説明する。
【０１５１】
＜ローカル調整回路付き受信回路＞
図１１は，本実施の形態にかかるローカル調整回路付き受信回路（以下，単に受信回路ともいう。）の構成例を示す説明図である。
受信回路９００は，図１１に示したように，アンテナ９１０と，アンテナ９２０と，アンテナ９１０側に配された復調部９３０と，アンテナ９２０側に配された復調部９４０と，復調部９５０と，ローカル調整回路９６０（本発明の受信側調整部）を含んで構成されている。
【０１５２】
アンテナ９１０は，周波数帯Ｆ１に対応するアンテナである。また，アンテナ９２０は，周波数帯Ｆ２に対応するアンテナである。周波数帯は，例えば，周波数帯Ｆ１＝２７ＧＨｚ，周波数帯Ｆ２＝５．２ＧＨｚである。
【０１５３】
アンテナ９１０側には，復調部９３０が設けられている。
【０１５４】
復調部９３０は，アナログフィルタ９３１と，増幅器９３２と，乗算器９３３と，ローカル発振器９３４を含んで構成されている。アナログフィルタ９３１は，アンテナ９１０で受信した信号から所定周波数帯域を抜き出すバンドパスフィルタである。増幅器９３２は，アナログフィルタ９３１からの信号を増幅する。乗算器９３３は，増幅器９３２で増幅された信号とローカル発振器９３４からのローカル信号とを乗算する。
【０１５５】
一方，アンテナ９２０側には，復調部９４０が設けられている。
【０１５６】
復調部９４０は，アナログフィルタ９４１と，増幅器９４２と，乗算器９４３と，ローカル発振器９４４を含んで構成されている。アナログフィルタ９４１は，アンテナ９２０で受信した信号から所定周波数帯域を抜き出すバンドパスフィルタである。増幅器９４２は，アナログフィルタ９４１からの信号を増幅する。乗算器９４３は，増幅器９４２で増幅された信号とローカル発振器９４４からのローカル信号とを乗算する。
【０１５７】
アンテナ９１０で受信され復調部９３０で復調された信号と，アンテナ９２０で受信され復調部９４０で復調された信号は，合成された後，さらに復調部９５０で復調される。この点で，２つのアンテナで受信された信号をＲＦスイッチで切り替える従来技術と異なる。
【０１５８】
復調部９５０は，アナログフィルタ９５１と，増幅器９５２と，乗算器９５３と，ローカル発振器９５４を含んで構成されている。アナログフィルタ９５１は，上述の合成された信号から所定周波数帯域を抜き出すバンドパスフィルタである。増幅器９５２は，アナログフィルタ９５１からの信号を増幅する。乗算器９５３は，増幅器９５２で増幅された信号とローカル発振器９５４からのローカル信号とを乗算する。このようにして，２つのアンテナ９１０，９２０から受信された２つの周波数帯の信号を合成して受信することができる。
【０１５９】
ローカル調整回路９９０は，復調部９４０のローカル発振器９４４にコントロール線（図中破線で示している）を介して接続されている。ローカル調整回路９９０は，このように復調部９４０に接続されることで，帯域をダウンコンバートする。例えば上述のように，送信側のローカル調整回路８９０により帯域が調整された場合（アップコンバートされた場合）には，ローカル調整回路９９０により，その帯域の調整分だけ調整し直す（ダウンコンバートする）。
【０１６０】
以上，ローカル調整回路付き受信回路９００について説明した。この受信回路９００は，図４を参照しながら説明した受信回路４００にローカル調整回路を付加したものである。なお，図５を参照しながら説明した送信回路５００にも同様のローカル調整回路を付加することが可能である。
【０１６１】
（第４の実施形態の効果）
以上説明したように，本実施形態によれば，ローカル調整回路を備えて，コントロール線のみ追加することで，送信回路の帯域をアップコンバートし，また，受信回路の帯域をダウンコンバートすることが可能である。
【０１６２】
以上，添付図面を参照しながら本発明にかかる送信装置，受信装置，および通信システムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１６３】
例えば，上記実施形態においては，周波数帯Ｆ１＝２７ＧＨｚ，周波数帯Ｆ２＝５．２ＧＨｚであり，帯域幅ＢＷ１＝２０ＭＨｚの整数倍（例えば４０ＭＨｚ），帯域幅ＢＷ２＝２０ＭＨｚであるとして説明したが，周波数帯Ｆ１，Ｆ２の大小関係と，帯域幅ＢＷ１，ＢＷ２の大小関係は独立している。よって，Ｆ１＞Ｆ２の状況において，ＢＷ１＜ＢＷ２であってもよい。
【０１６４】
図４，図５に示した受信回路４００，５００においては，ＩＦ帯で合成しているが，ベースバンドで合成してもよい。
【０１６５】
図８に示した受信回路６００では，位相補正回路６４５が周波数帯Ｆ２用のアンテナ６２０側だけに付いているが，周波数帯Ｆ１用のアンテナ６１０側だけに付いていてもよく，あるいは，周波数帯Ｆ１用のアンテナ６１０側と周波数帯Ｆ２用のアンテナ６２０側の両方に付いていてもよい。
【０１６６】
図６（ａ）の帯域幅ＢＷ１において，“Ａ”と“Ａ”のように，全く同じ情報を繰り返して送っているが，“Ａ”と“Ａ＊（複素共役）”のような情報の送り方をした場合でも受信装置側で逆拡散できるので，そのような方法も考えられる。
【０１６７】
図６（ｂ）の帯域幅ＢＷ２において，帯域幅ＢＷ２の情報＝“Ａ”としているが，帯域幅ＢＷ２（２０ＭＨｚ）が“Ａ”の帯域幅（例えば，１０ＭＨｚ）の定数倍であってもよい。
【０１６８】
送信装置において，所望の周波数帯を抜き出すのに，フィルタを用いているが，図６の場合のように情報の繰り返しなどを行う場合は，論理演算で打ち消すことにより，帯域を狭めてもよい。すなわち，帯域を狭める方法はフィルタリングに限らない。
【０１６９】
また，上記実施形態では，送信側は，周波数帯Ｆ１，Ｆ２において，同時に送信する場合について説明したが，周波数帯Ｆ１，Ｆ２のいずれか一方のみで送信してもよい。周波数帯Ｆ１，Ｆ２のいずれか一方のみで送信する場合には，周波数帯を切り替える際にレートアダプテーションを行ったり，周波数帯を切り替える際に無線帯域幅を変えたりということを行ってもよい。
【０１７０】
また，送信側で，周波数帯Ｆ１，Ｆ２のいずれか一方のみで送信する場合には，プリアンブルに，いずれの周波数で送信したかを区別できる識別機能を持たせるようにしてもよい。例えば，プリアンブルパターンを変えるようにしてもよい。これにより，受信側は干渉を避けるために，プリアンブル識別結果に基づき，周波数帯Ｆ１または周波数帯Ｆ２の受信を停止し，希望受信周波数のみを受信するということを行ってもよい。
【産業上の利用可能性】
【０１７１】
本発明は，送信装置，受信装置，および通信システムに利用可能であり，特に，複数の周波数帯を用いて送信を行う送信装置，および，複数の周波数帯を受信し，それらを合成して受信する受信装置，ならびにこれら送信装置と受信装置とを含む通信システムに利用可能である。
【図面の簡単な説明】
【０１７２】
【図１】送信回路の構成例（１）を示す説明図である。
【図２】送信回路の構成例（２）を示す説明図である。
【図３】送信回路の構成例（３）を示す説明図である。
【図４】受信回路の構成例（１）を示す説明図である。
【図５】受信回路の構成例（２）を示す説明図である。
【図６】整数倍の帯域幅で拡散したデータを受信する場合を示す説明図である。
【図７】帯域の一部が劣化しているデータを受信する場合を示す説明図である。
【図８】位相補正回路付き受信回路の構成例を示す説明図である。
【図９】利得調整回路付き受信回路の構成例を示す説明図である。
【図１０】ローカル調整回路付き送信回路の構成例を示す説明図である。
【図１１】ローカル調整回路付き受信回路の構成例を示す説明図である。
【図１２】従来の送信回路の構成（１）を示す説明図である。
【図１３】従来の送信回路の構成（２）を示す説明図である。
【図１４】従来の受信回路の構成を示す説明図である。
【符号の説明】
【０１７３】
１００  送信回路
１１０  デジタル回路（送信信号生成部）
１２０  アンテナ（第１のアンテナ，周波数帯Ｆ１用）
１３０  アンテナ（第２のアンテナ，周波数帯Ｆ２用）
１４０  ＤＡコンバータ
１５０  変調部（第１の変調部）
１５１  乗算器
１５２  ローカル発振器
１５３  増幅器
１５４  アナログフィルタ
１６０  デジタルフィルタ
１７０  ＤＡコンバータ
１８０  変調部（第２の変調部）
１８１  乗算器
１８２  ローカル発振器
１８３  増幅器
１８４  アナログフィルタ
４００  受信回路
４１０  アンテナ（第１のアンテナ，周波数帯Ｆ１用）
４２０  アンテナ（第２のアンテナ，周波数帯Ｆ２用）
４３０  復調部（第１の復調部）
４４０  復調部（第２の復調部）
４５０  復調部（第３の復調部）
６４５  位相補正回路
７３２，７４５  利得調整機能付き増幅器
８９０  ローカル調整回路（送信側調整部）
９６０  ローカル調整回路（受信側調整部）
【図１】
2006060572.tif 000003
【図２】
2006060572.tif 000004
【図３】
2006060572.tif 000005
【図４】
2006060572.tif 000006
【図５】
2006060572.tif 000007
【図６】
2006060572.tif 000008
【図７】
2006060572.tif 000009
【図８】
2006060572.tif 000010
【図９】
2006060572.tif 000011
【図１０】
2006060572.tif 000012
【図１１】
2006060572.tif 000013
【図１２】
2006060572.tif 000014
【図１３】
2006060572.tif 000015
【図１４】
2006060572.tif 000016